(57)【要約】【課題】複数の画像表示装置で表示される全体画像を適切な解像度で表示することが容易な画像表示装置の制御方法、画像表示装置、及び画像表示システムを提供する。【解決手段】画像供給装置２から供給される画像情報に基づいて、部分画像Ｐｄ１，Ｐｄ２が配列された全体画像Ｐａを、プロジェクター１ｂとともに表示するプロジェクター１ａの制御方法では、画像供給装置２から供給される画像情報の一部に基づいて部分画像Ｐｄ１を表示し、画像情報の他の一部に基づいて部分画像Ｐｄ２を表示するプロジェクター１ｂに画像情報を出力し、部分画像Ｐｄ１，Ｐｄ２の配列に関する設定情報を取得し、取得した設定情報に基づいて、全体画像Ｐａを表示するための解像度である全体解像度を決定し、画像供給装置２に通知すべき解像度を記憶する解像度記憶部に、全体解像度を記憶させる。【選択図】図１
2020201400.tif 000002
【特許請求の範囲】
【請求項１】
画像供給装置から供給される画像情報に基づいて、第１の画像及び第２の画像が配列された全体画像を、他の画像表示装置とともに表示する画像表示装置の制御方法であって、
前記画像表示装置が表示する前記第１の画像及び前記他の画像表示装置が表示する前記第２の画像の配列に関する設定情報を取得し、
取得した前記設定情報に基づいて、前記全体画像を表示するための解像度である全体解像度を決定して、解像度記憶部に記憶させ、
前記解像度記憶部に記憶された前記全体解像度を前記画像供給装置に通知し、
前記全体解像度が通知された前記画像供給装置から前記画像情報を取得し、
前記画像情報の一部に基づいて前記第１の画像を表示し、
前記画像情報の他の一部に基づいて前記第２の画像を表示する前記他の画像表示装置に対して、前記画像情報を出力する、
ことを特徴とする画像表示装置の制御方法。
【請求項２】
請求項１に記載の画像表示装置の制御方法であって、
前記設定情報に基づいて、前記画像表示装置と前記他の画像表示装置とで表示し得る最大の解像度を算出し、前記全体解像度として決定することを特徴とする画像表示装置の制御方法。
【請求項３】
請求項１に記載の画像表示装置の制御方法であって、
前記画像表示装置は、複数の解像度を含む解像度リストを記憶しており、
前記設定情報に基づいて、前記画像表示装置と前記他の画像表示装置とで表示し得る最大の解像度である暫定解像度を算出し、
前記解像度リストに含まれる前記複数の解像度の中から、算出した前記暫定解像度以下の解像度を抽出し、前記全体解像度として決定することを特徴とする画像表示装置の制御方法。
【請求項４】
請求項３に記載の画像表示装置の制御方法であって、
前記解像度リストに含まれる前記複数の解像度の中から、算出した前記暫定解像度以下で最大の解像度を抽出し、前記全体解像度として決定することを特徴とする画像表示装置の制御方法。
【請求項５】
請求項１〜４のいずれか一項に記載の画像表示装置の制御方法であって、
前記画像表示装置は、プロジェクターであり、
前記第１の画像及び前記第２の画像は、一部が重なり合うように配列され、
前記設定情報には、前記第１の画像及び前記第２の画像が重なり合う重畳領域の幅を示す情報が含まれることを特徴とする画像表示装置の制御方法。
【請求項６】
画像供給装置から供給される画像情報に基づいて、第１の画像及び第２の画像が配列された全体画像を、他の画像表示装置とともに表示する画像表示装置であって、
前記画像表示装置が表示する前記第１の画像及び前記他の画像表示装置が表示する前記第２の画像の配列に関する設定情報を取得する取得部と、
前記取得部が取得した前記設定情報に基づいて、前記全体画像を表示するための解像度である全体解像度を決定する決定部と、
前記決定部により決定された前記全体解像度を記憶する解像度記憶部と、
前記解像度記憶部に記憶された前記全体解像度を前記画像供給装置に通知する通知部と、
前記全体解像度が通知された前記画像供給装置から前記画像情報が入力される入力部と、
前記画像情報の一部に基づいて前記第１の画像を表示する表示部と、
前記画像情報の他の一部に基づいて前記第２の画像を表示する前記他の画像表示装置に対して、前記画像情報を出力する出力部と、
を備えたことを特徴とする画像表示装置。
【請求項７】
画像供給装置から供給される画像情報の一部に基づいて第１の画像を表示する第１の画像表示装置と、前記画像情報の他の一部に基づいて第２の画像を表示する第２の画像表示装置とを備え、前記第１の画像及び前記第２の画像が配列された全体画像を表示する画像表示システムであって、
前記第１の画像表示装置は、
前記第１の画像及び前記第２の画像の配列に関する設定情報を取得する取得部と、
前記取得部が取得した前記設定情報に基づいて、前記全体画像を表示するための解像度である全体解像度を決定する決定部と、
前記決定部により決定された前記全体解像度を記憶する解像度記憶部と、
前記解像度記憶部に記憶された前記全体解像度を前記画像供給装置に通知する通知部と、
前記全体解像度が通知された前記画像供給装置から前記画像情報が入力される入力部と、
前記入力部に入力された前記画像情報に基づいて前記第１の画像を表示する表示部と、
前記入力部に入力された前記画像情報を前記第２の画像表示装置に出力する出力部と、
を備えたことを特徴とする画像表示システム。
【発明の詳細な説明】
【技術分野】
【０００１】
本発明は、画像表示装置の制御方法、画像表示装置、及び画像表示システムに関する。
【背景技術】
【０００２】
複数の画像表示装置を用いて１つの大きな画像を表示するシステムが知られている。特許文献１に記載のシステムは、画像表示装置である複数のユニットと、入力モジュールとを含んでおり、このシステムにビデオ信号を供給するビデオソースは、入力モジュールを介して各ユニットに接続される。ビデオソースは、システムを１つの画像表示装置として認識し、システムに設定されたＥＤＩＤ（Extended Display Identification Data）によってシステムの解像度等の情報を取得する。特許文献１に記載のシステムでは、ユーザーは、ユニットの配列に応じてＥＤＩＤを変更することが可能になっている。
【先行技術文献】
【特許文献】
【０００３】
【特許文献１】特開２０１３−８０２２９号公報
【発明の概要】
【発明が解決しようとする課題】
【０００４】
しかしながら、特許文献１に記載のシステムでは、ユーザーは、複数のユニットで構成されるシステムの解像度を自ら導出し、さらに、それをＥＤＩＤとして設定する必要がある。つまり、ユーザーは、適切な解像度で画像を表示するために、煩雑な作業を行わなければならなかった。
【課題を解決するための手段】
【０００５】
画像表示装置の制御方法は、画像供給装置から供給される画像情報に基づいて、第１の画像及び第２の画像が配列された全体画像を、他の画像表示装置とともに表示する画像表示装置の制御方法であって、前記画像表示装置が表示する前記第１の画像及び前記他の画像表示装置が表示する前記第２の画像の配列に関する設定情報を取得し、取得した前記設定情報に基づいて、前記全体画像を表示するための解像度である全体解像度を決定して、解像度記憶部に記憶させ、前記解像度記憶部に記憶された前記全体解像度を前記画像供給装置に通知し、前記全体解像度が通知された前記画像供給装置から前記画像情報を取得し、前記画像情報の一部に基づいて前記第１の画像を表示し、前記画像情報の他の一部に基づいて前記第２の画像を表示する前記他の画像表示装置に対して、前記画像情報を出力する、ことを特徴とする。
【０００６】
上記の画像表示装置の制御方法において、前記設定情報に基づいて、前記画像表示装置と前記他の画像表示装置とで表示し得る最大の解像度を算出し、前記全体解像度として決定してもよい。
【０００７】
上記の画像表示装置の制御方法において、前記画像表示装置は、複数の解像度を含む解像度リストを記憶しており、前記設定情報に基づいて、前記画像表示装置と前記他の画像表示装置とで表示し得る最大の解像度である暫定解像度を算出し、前記解像度リストに含まれる前記複数の解像度の中から、算出した前記暫定解像度以下の解像度を抽出し、前記全体解像度として決定してもよい。
【０００８】
上記の画像表示装置の制御方法において、前記解像度リストに含まれる前記複数の解像度の中から、算出した前記暫定解像度以下で最大の解像度を抽出し、前記全体解像度として決定してもよい。
【０００９】
上記の画像表示装置の制御方法において、前記画像表示装置は、プロジェクターであり、前記第１の画像及び前記第２の画像は、一部が重なり合うように配列され、前記設定情報には、前記第１の画像及び前記第２の画像が重なり合う重畳領域の幅を示す情報が含まれるようにしてもよい。
【００１０】
画像表示装置は、画像供給装置から供給される画像情報に基づいて、第１の画像及び第２の画像が配列された全体画像を、他の画像表示装置とともに表示する画像表示装置であって、前記画像表示装置が表示する前記第１の画像及び前記他の画像表示装置が表示する前記第２の画像の配列に関する設定情報を取得する取得部と、前記取得部が取得した前記設定情報に基づいて、前記全体画像を表示するための解像度である全体解像度を決定する決定部と、前記決定部により決定された前記全体解像度を記憶する解像度記憶部と、前記解像度記憶部に記憶された前記全体解像度を前記画像供給装置に通知する通知部と、前記全体解像度が通知された前記画像供給装置から前記画像情報が入力される入力部と、前記画像情報の一部に基づいて前記第１の画像を表示する表示部と、前記画像情報の他の一部に基づいて前記第２の画像を表示する前記他の画像表示装置に対して、前記画像情報を出力する出力部と、を備えたことを特徴とする。
【００１１】
画像表示システムは、画像供給装置から供給される画像情報の一部に基づいて第１の画像を表示する第１の画像表示装置と、前記画像情報の他の一部に基づいて第２の画像を表示する第２の画像表示装置とを備え、前記第１の画像及び前記第２の画像が配列された全体画像を表示する画像表示システムであって、前記第１の画像表示装置は、前記第１の画像及び前記第２の画像の配列に関する設定情報を取得する取得部と、前記取得部が取得した前記設定情報に基づいて、前記全体画像を表示するための解像度である全体解像度を決定する決定部と、前記決定部により決定された前記全体解像度を記憶する解像度記憶部と、前記解像度記憶部に記憶された前記全体解像度を前記画像供給装置に通知する通知部と、前記全体解像度が通知された前記画像供給装置から前記画像情報が入力される入力部と、前記入力部に入力された前記画像情報に基づいて前記第１の画像を表示する表示部と、前記入力部に入力された前記画像情報を前記第２の画像表示装置に出力する出力部と、を備えたことを特徴とする。
【図面の簡単な説明】
【００１２】
【図１】画像表示システムを示す構成図。
【図２】プロジェクターの概略構成を示すブロック図。
【図３】画像投写部の概略構成を示すブロック図。
【図４】プロジェクターの接続を示す説明図。
【図５】マルチプロジェクションに関する設定処理を実行する際のプロジェクターの動作を示すフローチャート。
【図６】マルチプロジェクションに関する設定処理が済んだマスタープロジェクターの動作を示すフローチャート。
【図７】３つ以上のプロジェクターを利用する場合の接続を示す説明図。
【発明を実施するための形態】
【００１３】
以下、本実施形態の画像表示システムについて、図面を参照して説明する。
図１は、本実施形態の画像表示システム１００を示す説明図である。
図１に示すように、画像表示システム１００は、画像表示装置としての２つのプロジェクター１ａ，１ｂを備えている。プロジェクター１ａ，１ｂは、スクリーンや壁面等の投写面Ｓｐに画像Ｐｄ１，Ｐｄ２を投写して表示する。プロジェクター１ａ，１ｂは、それぞれから投写される画像Ｐｄ１，Ｐｄ２が隣り合って並ぶように設置されている。つまり、複数のプロジェクター１ａ，１ｂが協働して１つの大きな画像Ｐａを表示するマルチプロジェクションが画像表示システム１００により実現されている。これ以降、プロジェクター１ａ，１ｂのそれぞれから投写される画像Ｐｄ１，Ｐｄ２のことを「部分画像」とも呼び、これらを含む１つの大きな画像Ｐａのことを「全体画像」とも呼ぶ。また、２つのプロジェクター１ａ，１ｂを区別せずに説明する場合には、双方を「プロジェクター１」とも表記し、２つの部分画像Ｐｄ１，Ｐｄ２を区別せずに説明する場合には、双方を「部分画像Ｐｄ」とも表記する。
【００１４】
図１の例では、プロジェクター１ａ，１ｂは、２つの部分画像Ｐｄ１，Ｐｄ２が横一列に配列され、さらに、それぞれの部分画像Ｐｄ１，Ｐｄ２の一部が重なり合うように設置されている。このため、部分画像Ｐｄ１，Ｐｄ２間に隙間がなく、各部分画像Ｐｄ１，Ｐｄ２をスムーズに連結することが可能になっている。これ以降、部分画像Ｐｄ同士が重なり合っている領域Ａｏのことを「重畳領域Ａｏ」とも呼ぶ。複数の部分画像Ｐｄが重なる重畳領域Ａｏが、他の領域よりも明るくなることがないよう、各部分画像Ｐｄにおいて、重畳領域Ａｏの明るさは、他の領域より抑制されている。
【００１５】
一方のプロジェクター１ａは、コンピューターや映像再生装置等によって構成される外部の画像供給装置２にケーブル３ａを介して接続されている。また、プロジェクター１ａは、他方のプロジェクター１ｂとケーブル３ｂを介して接続されている。つまり、複数のプロジェクター１ａ，１ｂは、画像供給装置２にデイジーチェーンで接続されている。プロジェクター１ａは、画像供給装置２からケーブル３ａを介して画像情報の供給を受け、供給された画像情報を、ケーブル３ｂを介してプロジェクター１ｂに供給する。プロジェクター１ａは、画像供給装置２から供給される画像情報の一部に基づいて部分画像Ｐｄ１を表示し、プロジェクター１ｂは、画像情報の他の一部に基づいて部分画像Ｐｄ２を表示する。これ以降、画像供給装置２に接続されるプロジェクター１ａは、「マスタープロジェクター」とも呼ばれ、それ以外のプロジェクター１ｂは、「スレーブプロジェクター」とも呼ばれる。プロジェクター１ａは、第１の画像表示装置に相当し、プロジェクター１ｂは、第２の画像表示装置及び他の画像表示装置に相当する。また、プロジェクター１ａが表示する部分画像Ｐｄ１は、第１の画像に相当し、プロジェクター１ｂが表示する部分画像Ｐｄ２は、第２の画像に相当する。
【００１６】
なお、マルチプロジェクションを構成するプロジェクター１の数は２つに限定されず、３つ以上であってもよい。また、部分画像Ｐｄの配列は、横一列に限定されず、縦一列であってもよいし、縦横に複数の列を有するマトリクス状の配列であってもよい。
【００１７】
図２は、プロジェクター１ａの概略構成を示すブロック図であり、図３は、プロジェクター１ａが備える画像投写部１６の概略構成を示すブロック図である。
図２に示すように、プロジェクター１ａは、決定部としての制御部１０と、記憶部１１と、入力操作部１２と、インターフェイス部１３と、解像度記憶部としてのＥＤＩＤ記憶部１４と、画像情報処理部１５と、表示部としての画像投写部１６とを一体的に備えている。プロジェクター１ａは、インターフェイス部１３に入力される画像情報の一部に基づいて、画像投写部１６から投写面Ｓｐに部分画像Ｐｄ１を投写する。
【００１８】
制御部１０は、１つ又は複数のプロセッサーを備えて構成され、記憶部１１に記憶されている制御プログラムに従って動作することによりプロジェクター１ａの動作を統括制御する。
【００１９】
記憶部１１は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１ａの動作を制御するための制御プログラムや制御データ等を記憶する。
【００２０】
入力操作部１２は、ユーザーがプロジェクター１ａに対して各種指示を行うための図示しない複数の操作キーを備えている。入力操作部１２が備える操作キーとしては、電源のオンとオフとを切り替えるための電源キー、各種設定を行うためのメニュー画像を表示させるメニューキー、メニュー画像上で項目を選択するための方向キー、選択した項目を確定させるための決定キー等がある。ユーザーが入力操作部１２の各種操作キーを操作すると、入力操作部１２は、ユーザーの操作内容に応じた操作信号を制御部１０に出力する。なお、遠隔操作が可能な図示しないリモコンを、入力操作部１２として用いる構成としてもよい。この場合、リモコンは、ユーザーの操作内容に応じた赤外線の操作信号を発信し、プロジェクター１ａに備わる図示しないリモコン信号受信部がこれを受信して制御部１０に伝達する。
【００２１】
インターフェイス部１３は、複数の接続端子及びインターフェイス回路等を備えて構成される。本実施形態のインターフェイス部１３は、ＨＤＭＩ（登録商標）（High Definition Multimedia Interface）に準拠した画像情報の入出力に対応しており、接続端子として、ＨＤＭＩ入力端子１３ａと、ＨＤＭＩ出力端子１３ｂとを備えている。ＨＤＭＩ入力端子１３ａは、入力部に相当し、ＨＤＭＩ出力端子１３ｂは、出力部に相当する。ＨＤＭＩ入力端子１３ａには、外部の画像供給装置２がケーブル３ａを介して接続され、画像供給装置２から画像情報が入力される。入力された画像情報は、画像情報処理部１５で処理が可能な形式の画像情報に変換された後、画像情報処理部１５に出力される。ＨＤＭＩ出力端子１３ｂには、ケーブル３ｂを介して他方のプロジェクター１ｂが接続され、ＨＤＭＩ入力端子１３ａに入力された画像情報が、そのままＨＤＭＩ出力端子１３ｂからプロジェクター１ｂに出力される。
【００２２】
ＥＤＩＤ記憶部１４は、ＲＡＭ又はＲＯＭ等によって構成され、プロジェクター１ａのＥＤＩＤ（Extended Display Identification Data）を記憶する。ＥＤＩＤは、プロジェクター１ａがサポートしている解像度等の情報を含み、画像供給装置２からの要求に応じて、通知部としても機能するＨＤＭＩ入力端子１３ａから画像供給装置２に通知される。つまり、ＥＤＩＤには、画像供給装置２に通知すべき解像度等の情報が含まれている。画像供給装置２は、ＥＤＩＤ記憶部１４からＥＤＩＤを取得することにより、プロジェクター１ａに適した解像度で画像情報を供給することが可能となる。ＥＤＩＤには、優先順位が割り当てられた複数の解像度が含まれており、制御部１０は、ＥＤＩＤに格納されている解像度を変更することができる。
【００２３】
画像情報処理部１５は、図示しないフレームメモリーを備えて構成される。画像情報処理部１５は、インターフェイス部１３から入力される画像情報をフレームメモリーに格納するとともに、フレームメモリー上の画像情報に対して、制御部１０の制御に基づいて様々な処理を施し、処理後の画像情報を画像投写部１６に出力する。例えば、画像情報処理部１５は、明るさやコントラスト等の画質を調整する処理や、画像の歪みを補正する処理、画像情報に基づく画像にメニュー画像やメッセージ画像等のＯＳＤ（オンスクリーンディスプレイ）画像を重畳する処理等を実行する。
【００２４】
なお、画像情報処理部１５は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００２５】
図３に示すように、画像投写部１６は、光源２１、光変調装置としての３つの液晶ライトバルブ２２Ｒ，２２Ｇ，２２Ｂ、投写光学系２３、ライトバルブ駆動部２４等を備えて構成されている。画像投写部１６は、光源２１から射出された光を、液晶ライトバルブ２２Ｒ，２２Ｇ，２２Ｂで変調して画像光を形成し、レンズ等を含む投写光学系２３からこの画像光を投写して投写面Ｓｐに画像を表示する。
【００２６】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色、緑色、青色の各色光成分に分離された後、それぞれ液晶ライトバルブ２２Ｒ，２２Ｇ，２２Ｂに入射する。
【００２７】
液晶ライトバルブ２２Ｒ，２２Ｇ，２２Ｂは、それぞれ一対の透明基板間に液晶が封入された透過型の液晶パネルや偏光板等によって構成される。各液晶パネルには、マトリクス状に配列された複数の画素からなる矩形の画素領域２２ｉが形成されており、液晶に対して画素毎に駆動電圧を印加可能になっている。
【００２８】
ライトバルブ駆動部２４は、液晶ライトバルブ２２Ｒ，２２Ｇ，２２Ｂの画素領域２２ｉに画像を形成する。具体的には、ライトバルブ駆動部２４は、画像情報処理部１５から入力される画像情報に応じた駆動電圧を、画素領域２２ｉの各画素に印加することにより、各画素を画像情報に応じた光透過率に設定する。光源２１から射出された光は、液晶ライトバルブ２２Ｒ，２２Ｇ，２２Ｂの画素領域２２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系２３によって投写面Ｓｐに拡大投写される。
【００２９】
本実施形態のプロジェクター１ａにおいて、液晶ライトバルブ２２Ｒ，２２Ｇ，２２Ｂの画素領域２２ｉには、横方向に１９２０、縦方向に１０８０の画素が配列されている。本実施形態では、画素領域２２ｉの画素数のことを「解像度」とも呼び、横方向の画素数と、縦方向の画素数とを用いて、「１９２０×１０８０」のように表記する。このため、初期状態のＥＤＩＤ、即ちマルチプロジェクションを行わずにプロジェクター１ａを単体で利用する際のＥＤＩＤには、優先順位が最も高い解像度として１９２０×１０８０の解像度が格納されている。なお、プロジェクター１ａの解像度は、１９２０×１０８０に限定されず、これ以外の解像度であってもよい。
【００３０】
図２に戻って、記憶部１１には、解像度リスト１１ａが記憶されている。この解像度リスト１１ａには、プロジェクター１ａを使ってマルチプロジェクションを行う際に利用され得る解像度のリストが格納されている。つまり、解像度リスト１１ａには、複数のプロジェクター１で実現し得る解像度、言い換えれば、プロジェクター１ａ単体の解像度である１９２０×１０８０よりも大きな解像度が複数格納されている。例えば、解像度リスト１１ａには、１９２０×１０８０の解像度を有する２つのプロジェクター１で、一部を重ね合わせた状態で部分画像Ｐｄを横方向に並べた場合に実現し得る３２４０×１０８０の解像度が含まれている。これ以外に、解像度リスト１１ａには、３つ以上の部分画像Ｐｄを横方向に並べた場合に実現し得る解像度や、複数の部分画像Ｐｄを縦に並べた場合に実現し得る解像度、さらに、複数の部分画像Ｐｄをマトリクス状に配列した場合に実現し得る解像度等が含まれる。
【００３１】
図４は、プロジェクター１ａ，１ｂの接続を示す説明図である。
スレーブプロジェクターであるプロジェクター１ｂの構成は、プロジェクター１ａと同様であるため、詳しい図示は省略する。以降の説明において、プロジェクター１ｂの構成要素の符号は、プロジェクター１ａの構成要素の符号と同一のものを使用する。プロジェクター１ｂにおいて、ＨＤＭＩ入力端子１３ａは、ケーブル３ｂを介してプロジェクター１ａのＨＤＭＩ出力端子１３ｂに接続されており、プロジェクター１ａから画像情報がＨＤＭＩ入力端子１３ａに入力される。プロジェクター１ｂのＨＤＭＩ出力端子１３ｂには、何も接続されていない。つまり、プロジェクター１ｂは、プロジェクター１ａとは異なり、ＨＤＭＩ出力端子１３ｂからの画像情報の出力を行わない。
【００３２】
次に、プロジェクター１の動作、即ちプロジェクター１の制御方法について説明する。
図５は、マルチプロジェクションに関する設定処理を実行する際のプロジェクター１の動作を示すフローチャートである。
本実施形態の画像表示システム１００でマルチプロジェクションを実行する際には、ユーザーは、プロジェクター１の設置を行った後で、各プロジェクター１にマルチプロジェクションに関する設定を行う必要がある。ユーザーが、入力操作部１２のメニューキーを操作して図示しないメニュー画像を表示させ、メニュー画像の中から、マルチプロジェクションの設定を行うための項目を選択すると、プロジェクター１の制御部１０は、図５に示すフローに従って動作する。
【００３３】
図５に示すように、ステップＳ１０１では、制御部１０は、マルチプロジェクションに関する設定情報を取得する。具体的には、制御部１０は、画像情報処理部１５に指示をして図示しない設定画面をＯＳＤ画像として表示させ、ユーザーにマルチプロジェクションに関する設定情報を入力させる。この設定画面上では、ユーザーは、設定対象のプロジェクター１がマスタープロジェクターであるか否かを示す情報、マルチプロジェクションで使用するプロジェクター１の数、部分画像Ｐｄの配列に関する情報等を入力することができる。また、設定対象のプロジェクター１がスレーブプロジェターである場合には、ユーザーは、このプロジェクター１の部分画像Ｐｄと、マスタープロジェクターの部分画像Ｐｄとの相対的な位置関係等を指定する。ユーザーは、入力操作部１２の方向キーや決定キーを操作して、これらの設定情報を入力する。なお、部分画像Ｐｄの配列に関する情報としては、例えば、縦の列数と横の列数とで指定され得る部分画像Ｐｄのレイアウトや、重畳領域Ａｏの幅を示す情報等が含まれる。ここで、重畳領域Ａｏの幅は、画素数によって表されるものとするが、部分画像Ｐｄ全体の幅に対する割合で指定する態様であってもよい。ステップＳ１０１で設定情報を取得する際の制御部１０は、取得部に相当する。
【００３４】
ステップＳ１０２では、制御部１０は、プロジェクター１の解像度と、入力された設定情報とに基づいて、マルチプロジェクションで利用可能な解像度、言い換えれば、複数のプロジェクター１で表示し得る最大の解像度である暫定解像度を算出する。暫定解像度は、マルチプロジェクションを行う複数のプロジェクター１の画素の総数のうち、全体画像Ｐａの表示に利用可能な画素の数であり、横方向の画素数と縦方向の画素数とによって表される。
【００３５】
例えば、図１に示すように、２つの部分画像Ｐｄを横方向に並べて投写する場合には、暫定解像度は、画素領域２２ｉの横方向の画素数の２倍の値から重畳領域Ａｏの横方向の幅の画素数を減じた値と、画素領域２２ｉの縦方向の画素数とによって表される。また、２つの部分画像Ｐｄを縦方向に並べて投写する場合には、暫定解像度は、画素領域２２ｉの横方向の画素数と、画素領域２２ｉの縦方向の画素数の２倍の値から重畳領域Ａｏの縦方向の幅の画素数を減じた値とによって表される。また、縦方向又は横方向に３つ以上の部分画像Ｐｄを１列に並べて投写する場合には、複数の重畳領域Ａｏが存在するため、縦方向又は横方向の画素数の総和から、複数の重畳領域Ａｏの幅の総和を減じればよい。また、縦横に複数の列を有するマトリクス状に部分画像Ｐｄが配列される場合には、縦方向及び横方向の双方について画素数の総和から重畳領域Ａｏの幅の総和を減じればよい。
【００３６】
ステップＳ１０３では、制御部１０は、ステップＳ１０２で算出された暫定解像度に基づいて、記憶部１１の解像度リスト１１ａに含まれる解像度の中から、暫定解像度以下の解像度を１つ抽出し、全体画像Ｐａを表示するための解像度である全体解像度として決定する。具体的には、制御部１０は、解像度リスト１１ａに含まれる解像度の中から、縦横とも暫定解像度以下となる解像度を選別し、さらにその中から最大の解像度を抽出する。
【００３７】
例えば、図１に示すように、１９２０×１０８０の解像度を有する２つの部分画像Ｐｄを横方向に並べてマルチプロジェクションを行う場合において、重畳領域Ａｏの幅が２４０画素、即ち部分画像Ｐｄの１２．５％が重畳領域Ａｏとなっているものとする。このとき、ステップＳ１０１において、ユーザーにより設定情報が入力されると、ステップＳ１０２において、制御部１０は、１９２０×２−２４０＝３６００であるため、３６００×１０８０を暫定解像度として算出する。そして、ステップＳ１０３では、制御部１０は、解像度リスト１１ａの中から、算出した暫定解像度以下で最大の解像度として３２４０×１０８０の解像度を抽出する。
【００３８】
ステップＳ１０４では、制御部１０は、ステップＳ１０１で入力された設定情報に基づいて、自身がマスタープロジェクターであるか否かを判断する。そして、制御部１０は、自身がマスタープロジェクターである場合にはステップＳ１０５に処理を移し、スレーブプロジェクターである場合にはステップＳ１０６に処理を移す。
【００３９】
自身がマスタープロジェクターであってステップＳ１０５に処理が移行した場合には、制御部１０は、ＥＤＩＤ記憶部１４に記憶されているＥＤＩＤを更新する。具体的には、制御部１０は、ステップＳ１０３で決定した全体解像度を、最も優先順位が高い解像度としてＥＤＩＤに格納し、このＥＤＩＤをＥＤＩＤ記憶部１４に記憶させる。
【００４０】
ステップＳ１０６では、制御部１０は、ステップＳ１０１で入力された設定情報と、ステップＳ１０３で決定した全体解像度とに基づいて、全体解像度を有する全体画像Ｐａに占める自身の部分画像Ｐｄの範囲を特定する。制御部１０は、特定した範囲を記憶部１１に記憶し、フローを終了する。以上のフローは、マルチプロジェクションを構成するすべてのプロジェクター１で実行される。
【００４１】
図６は、マルチプロジェクションに関する設定処理が済んだマスタープロジェクターの動作を示すフローチャートである。
図６に示すように、マスタープロジェクターであるプロジェクター１ａは、画像供給装置２からの要求に応じて、更新したＥＤＩＤを画像供給装置２に通知する（ステップＳ２０１）。画像供給装置２は、このＥＤＩＤを取得して、最優先の解像度として全体解像度を認識し、これ以降、この全体解像度で画像情報の供給を開始する。プロジェクター１ａは、画像供給装置２から供給される画像情報を取得する（ステップＳ２０２）。そして、プロジェクター１ａは、画像情報の中から、一部の画像情報、即ちプロジェクター１ａが担当する範囲の画像情報を画像情報処理部１５で抽出し、抽出した画像情報に基づく部分画像Ｐｄ１を画像投写部１６から投写する（ステップＳ２０３）。
【００４２】
また、プロジェクター１ａは、画像供給装置２から供給された画像情報をそのままスレーブプロジェクターであるプロジェクター１ｂに出力する（ステップＳ２０４）。プロジェクター１ｂも同様に、プロジェクター１ａから供給される画像情報の中から、他の一部の画像情報、即ちプロジェクター１ｂが担当する範囲の画像情報を画像情報処理部１５で抽出し、抽出した画像情報に基づく部分画像Ｐｄ２を画像投写部１６から投写する。プロジェクター１ａは、ユーザーによって画像の投写の終了を指示する入力操作がなされたか否かを判断し（ステップＳ２０５）、終了の指示がなされていなければ、その指示がなされるまで、画像情報の取得（ステップＳ２０２）、部分画像Ｐｄ１の投写（ステップＳ２０３）、画像情報の出力（ステップＳ２０４）を繰り返す。一方、終了の指示がなされた場合には、プロジェクター１ａは、上記のフローを終了する。以上の動作により、複数の部分画像Ｐｄ１，Ｐｄ２が投写面Ｓｐ上に配列され、１つの全体画像Ｐａとして表示される。
【００４３】
なお、図示は省略しているが、マスタープロジェクターであるプロジェクター１ａの制御部１０は、ユーザーによりマルチプロジェクションの終了が指示された場合や、設定画面でマスタープロジェクターを解除する設定がなされた場合には、ＥＤＩＤを初期状態のＥＤＩＤ、即ちプロジェクター１ａを単体で利用する場合のＥＤＩＤに戻す処理を行う。
【００４４】
以上説明したように、本実施形態の画像表示システム１００、プロジェクター１及びそれらの制御方法によれば、以下の効果を得ることができる。
【００４５】
（１）本実施形態によれば、マスタープロジェクターであるプロジェクター１ａは、部分画像Ｐｄ１，Ｐｄ２の配列に関する設定情報に基づいて、全体画像Ｐａを表示するための全体解像度を決定するため、ユーザーが全体解像度を自ら導出する必要がなくなり、全体画像Ｐａを適切な解像度で表示することが容易になる。
【００４６】
（２）本実施形態によれば、解像度リスト１１ａに含まれる解像度の中から、算出した暫定解像度以下で最大の解像度を抽出して全体解像度として決定するため、全体画像Ｐａを、予め想定し得る適切な解像度でできるだけ大きく表示することが可能となる。
【００４７】
（３）本実施形態によれば、複数のプロジェクター１が画像供給装置２にデイジーチェーンで接続され、マスタープロジェクターのＥＤＩＤを変更することによって全体解像度を画像供給装置２に通知している。このため、画像供給装置２と、複数のプロジェクター１との間に特別な装置を介在させる必要がなくなり、画像表示システム１００の構成を簡略化することが可能となる。
【００４８】
（４）本実施形態によれば、画像供給装置２は、接続されているプロジェクター１のＥＤＩＤを取得して、取得したＥＤＩＤに応じた解像度の画像情報をプロジェクター１に送信するという通常の動作を実行すればよい。このため、画像供給装置２に特別な機能を付加する必要がなく、全体画像Ｐａを適切な解像度で表示することが容易になる。
【００４９】
また、上記実施形態は、以下のように変更してもよい。
【００５０】
上記実施形態では、２つのプロジェクター１ａ，１ｂでマルチプロジェクションを行う態様を示したが、マルチプロジェクションを構成するプロジェクター１の数は２つに限定されず、３つ以上であってもよい。３つ以上のプロジェクター１を用いて画像表示システム１００を構成する場合には、１つのマスタープロジェクターと、複数のスレーブプロジェクターとがデイジーチェーンで画像供給装置２に接続される。
【００５１】
図７は、３つ以上のプロジェクター１を利用する場合の接続を示す説明図である。
図７に示すように、画像表示システム１０１は、少なくとも３つのプロジェクター１ｃ，１ｄ，１ｅを含んでいる。このうち、プロジェクター１ｃは、マスタープロジェクターであり、他のプロジェクター１ｄ，１ｅは、スレーブプロジェクターである。マスタープロジェクターであるプロジェクター１ｃは、上述したプロジェクター１ａと同様、ＨＤＭＩ入力端子１３ａが画像供給装置２に接続され、ＨＤＭＩ出力端子１３ｂが下流側のプロジェクター１ｄのＨＤＭＩ入力端子１３ａに接続される。下流側の末端のスレーブプロジェクターであるプロジェクター１ｅは、上述したプロジェクター１ｂと同様、ＨＤＭＩ入力端子１３ａが上流側のプロジェクター１のＨＤＭＩ出力端子１３ｂに接続され、ＨＤＭＩ出力端子１３ｂには何も接続されない。また、プロジェクター１ｄのように、マスタープロジェクターと、末端のスレーブプロジェクターとの間に接続されるスレーブプロジェクターは、ＨＤＭＩ入力端子１３ａが上流側のプロジェクター１のＨＤＭＩ出力端子１３ｂに接続され、ＨＤＭＩ出力端子１３ｂが下流側のプロジェクター１のＨＤＭＩ入力端子１３ａに接続される。このような構成であっても、上記実施形態と同様の効果を得ることが可能である。
【００５２】
上記実施形態では、複数のプロジェクター１ａ，１ｂが同一の解像度を有している態様について説明したが、解像度が異なる複数のプロジェクター１によってマルチプロジェクションを行うことも可能である。この場合には、例えば、マルチプロジェクションに関する設定を行う設定画面において、各プロジェクター１の解像度を入力させるようにすれば、暫定解像度を適切に算出することができる。
【００５３】
上記実施形態では、ユーザーが、マルチプロジェクションに関する設定情報をすべてのプロジェクター１に入力する態様を示したが、例えば、マスタープロジェクターに入力された設定情報を、すべてのプロジェクター１で共有する手段を設けるようにしてもよい。例えば、プロジェクター１にネットワーク等の通信経路を介して通信を行う通信部を備えるようにすれば、通信部による通信によって設定情報を共有することができる。この構成によれば、ユーザーによる設定情報の入力作業を簡略化することが可能となる。また、上述したように、複数のプロジェクター１が異なる解像度を有している場合には、それぞれの解像度を、通信部を介して取得することも可能となる。
【００５４】
上記実施形態では、暫定解像度を算出した後で、解像度リスト１１ａに含まれる解像度の中から、縦横とも暫定解像度以下となる解像度を選別し、さらにその中から最大の解像度を抽出して全体解像度として決定しているが、この態様に限定されない。例えば、暫定解像度以下の解像度の中から最大の解像度以外の解像度を抽出して全体解像度としてもよい。また、算出した暫定解像度を、そのまま全体解像度としてＥＤＩＤに格納するようにしてもよい。
【００５５】
上記実施形態では、複数の部分画像Ｐｄを、一部が重なり合うように配列する態様を示したが、複数の部分画像Ｐｄは、重なり合っている必要はなく、それぞれが接し合うように配列してもよいし、それぞれを分離して配列する態様であってもよい。なお、部分画像Ｐｄを分離して配列する場合には、全体画像Ｐａは、１つの大きな画像ではなく、分離された複数の部分画像Ｐｄが全体画像Ｐａを構成する。
【００５６】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源２１から射出された光を変調するデジタルミラーデバイス等を用いることもできる。また、色光別に複数の光変調装置を備える構成に限定されず、１つの光変調装置で複数の色光を時分割で変調する構成としてもよい。
【００５７】
上記実施形態において、マスタープロジェクターのインターフェイス部１３に、接続端子としてＨＤＢａｓｅＴ（登録商標）端子が備わる場合には、ＨＤＭＩ入力端子１３ａの代わりに、ＨＤＢａｓｅＴ端子に画像供給装置２からの画像情報が入力される態様であってもよい。また、画像供給装置２から供給される画像情報は、ＨＤＭＩに準拠した画像情報に限定されず、他の形式の画像情報が適切な接続端子に供給される態様であってもよい。
【００５８】
上記実施形態では、画像表示装置の例として、プロジェクター１について説明したが、画像表示装置は投写型の画像表示装置に限定されず、液晶ディスプレイや有機ＥＬディスプレイ等、直視型の画像表示装置であってもよい。これらの構成では、画像が表示される表示画面等が表示部に相当する。
【００５９】
以下に、実施形態から導き出される内容を記載する。
【００６０】
画像表示装置の制御方法は、画像供給装置から供給される画像情報に基づいて、第１の画像及び第２の画像が配列された全体画像を、他の画像表示装置とともに表示する画像表示装置の制御方法であって、前記画像表示装置が表示する前記第１の画像及び前記他の画像表示装置が表示する前記第２の画像の配列に関する設定情報を取得し、取得した前記設定情報に基づいて、前記全体画像を表示するための解像度である全体解像度を決定して、解像度記憶部に記憶させ、前記解像度記憶部に記憶された前記全体解像度を前記画像供給装置に通知し、前記全体解像度が通知された前記画像供給装置から前記画像情報を取得し、前記画像情報の一部に基づいて前記第１の画像を表示し、前記画像情報の他の一部に基づいて前記第２の画像を表示する前記他の画像表示装置に対して、前記画像情報を出力する、ことを特徴とする。
【００６１】
この構成によれば、画像表示装置は、第１の画像と第２の画像の配列に関する設定情報に基づいて、全体画像を表示するための全体解像度を決定するため、ユーザーが全体解像度を自ら導出する必要がなくなり、全体画像を適切な解像度で表示することが容易になる。
【００６２】
上記の画像表示装置の制御方法において、前記設定情報に基づいて、前記画像表示装置と前記他の画像表示装置とで表示し得る最大の解像度を算出し、前記全体解像度として決定してもよい。
【００６３】
この構成によれば、複数の画像表示装置で表示し得る最大の解像度を全体解像度として決定するため、全体画像をできるだけ大きく表示することが可能となる。
【００６４】
上記の画像表示装置の制御方法において、前記画像表示装置は、複数の解像度を含む解像度リストを記憶しており、前記設定情報に基づいて、前記画像表示装置と前記他の画像表示装置とで表示し得る最大の解像度である暫定解像度を算出し、前記解像度リストに含まれる前記複数の解像度の中から、算出した前記暫定解像度以下の解像度を抽出し、前記全体解像度として決定してもよい。
【００６５】
この構成によれば、解像度リストに含まれる解像度の中から、算出した暫定解像度以下の解像度を抽出して全体解像度として決定するため、全体画像を、予め想定し得る適切な解像度で表示することが可能となる。
【００６６】
上記の画像表示装置の制御方法において、前記解像度リストに含まれる前記複数の解像度の中から、算出した前記暫定解像度以下で最大の解像度を抽出し、前記全体解像度として決定してもよい。
【００６７】
この構成によれば、解像度リストに含まれる解像度の中から、算出した暫定解像度以下で最大の解像度を抽出して全体解像度として決定するため、全体画像を、予め想定し得る適切な解像度でできるだけ大きく表示することが可能となる。
【００６８】
上記の画像表示装置の制御方法において、前記画像表示装置は、プロジェクターであり、前記第１の画像及び前記第２の画像は、一部が重なり合うように配列され、前記設定情報には、前記第１の画像及び前記第２の画像が重なり合う重畳領域の幅を示す情報が含まれるようにしてもよい。
【００６９】
この構成によれば、プロジェクターから投写される第１の画像と第２の画像とが重なり合うように配列されている場合でも、重畳領域の幅を示す情報に基づいて、全体解像度を適切に決定することが可能となる。
【００７０】
画像表示装置は、画像供給装置から供給される画像情報に基づいて、第１の画像及び第２の画像が配列された全体画像を、他の画像表示装置とともに表示する画像表示装置であって、前記画像表示装置が表示する前記第１の画像及び前記他の画像表示装置が表示する前記第２の画像の配列に関する設定情報を取得する取得部と、前記取得部が取得した前記設定情報に基づいて、前記全体画像を表示するための解像度である全体解像度を決定する決定部と、前記決定部により決定された前記全体解像度を記憶する解像度記憶部と、前記解像度記憶部に記憶された前記全体解像度を前記画像供給装置に通知する通知部と、前記全体解像度が通知された前記画像供給装置から前記画像情報が入力される入力部と、前記画像情報の一部に基づいて前記第１の画像を表示する表示部と、前記画像情報の他の一部に基づいて前記第２の画像を表示する前記他の画像表示装置に対して、前記画像情報を出力する出力部と、を備えたことを特徴とする。
【００７１】
この構成によれば、画像表示装置は、第１の画像と第２の画像の配列に関する設定情報に基づいて、全体画像を表示するための全体解像度を決定するため、ユーザーが全体解像度を自ら導出する必要がなくなり、全体画像を適切な解像度で表示することが容易になる。
【００７２】
画像供給装置から供給される画像情報の一部に基づいて第１の画像を表示する第１の画像表示装置と、前記画像情報の他の一部に基づいて第２の画像を表示する第２の画像表示装置とを備え、前記第１の画像及び前記第２の画像が配列された全体画像を表示する画像表示システムであって、前記第１の画像表示装置は、前記第１の画像及び前記第２の画像の配列に関する設定情報を取得する取得部と、前記取得部が取得した前記設定情報に基づいて、前記全体画像を表示するための解像度である全体解像度を決定する決定部と、前記決定部により決定された前記全体解像度を記憶する解像度記憶部と、前記解像度記憶部に記憶された前記全体解像度を前記画像供給装置に通知する通知部と、前記全体解像度が通知された前記画像供給装置から前記画像情報が入力される入力部と、前記入力部に入力された前記画像情報に基づいて前記第１の画像を表示する表示部と、前記入力部に入力された前記画像情報を前記第２の画像表示装置に出力する出力部と、を備えたことを特徴とする。
【００７３】
この構成によれば、第１の画像表示装置は、第１の画像と第２の画像の配列に関する設定情報に基づいて、全体画像を表示するための全体解像度を決定するため、ユーザーが全体解像度を自ら導出する必要がなくなり、全体画像を適切な解像度で表示することが容易になる。
【符号の説明】
【００７４】
１，１ａ，１ｂ…プロジェクター、２…画像供給装置、３ａ…ケーブル、３ｂ…ケーブル、１０…制御部、１１…記憶部、１１ａ…解像度リスト、１２…入力操作部、１３…インターフェイス部、１３ａ…ＨＤＭＩ入力端子、１３ｂ…ＨＤＭＩ出力端子、１４…ＥＤＩＤ記憶部、１５…画像情報処理部、１６…画像投写部、２１…光源、２２Ｒ，２２Ｇ，２２Ｂ…液晶ライトバルブ、２２ｉ…画素領域、２３…投写光学系、２４…ライトバルブ駆動部、１００…画像表示システム、１０１…画像表示システム、Ａｏ…重畳領域、Ｐａ…全体画像、Ｐｄ，Ｐｄ１，Ｐｄ２…部分画像、Ｓｐ…投写面。
【図１】
2020201400.tif 000003
【図２】
2020201400.tif 000004
【図３】
2020201400.tif 000005
【図４】
2020201400.tif 000006
【図５】
2020201400.tif 000007
【図６】
2020201400.tif 000008
【図７】
2020201400.tif 000009